(57)【特許請求の範囲】
【請求項１】
梁横断方向に配設される大引材と、この大引材の上面にスライド可能に載置する梁側面型枠の傾倒防止金具と、この傾倒防止金具を大引材の任意の位置で固定する締結部材を有する梁型枠支持装置において、前記大引材は２本の桁材側面にピン係止孔を複数穿設し連結部材を挟着して桁材間に空隙を設ける枠状の大引材であり、前記傾倒防止金具の水平材及び斜材は各々この空隙につながる開口部を備え、前記締結部材は、これら開口部を貫通して下端部をピンに軸支する連結ボルトと斜材上に設ける座金及びナットにより傾倒防止金具を固定する締結部材であることを特徴とする梁型枠支持装置。
【請求項２】
請求項１記載の梁型枠支持装置において、前記座金は斜材に沿って移動可能であることを特徴とする梁型枠支持装置。
【請求項３】
前記座金は上面に曲面状凹部を形成し、前記ナットはこの凹部に当接する下部曲面を備えることを特徴とする請求項１、２記載の梁型枠支持装置。
【請求項４】
前記傾倒防止金具の垂直材は、上部に補助柱材を装着し得る離隔した２本の柱材であって、この柱材間には内端を横端太材に係止し頭部に装着する板体を柱材に押圧して傾倒防止金具と横端太材とを連結するＪ型ボルトを備えることを特徴とする請求項１、２又は３記載の梁型枠支持装置。
【請求項５】
前記大引材は、既設壁体に止着する支持金具で一端部を支持することを特徴とする請求項１、２、３又は４記載の梁型枠支持装置。
【発明の詳細な説明】
【０００１】
【発明の属する技術分野】
この発明は、セパレータ等の締付金物を用いずに水平材、垂直材及び斜材からなる傾倒防止金具で側面型枠を支持する梁型枠支持装置に関する。
【０００２】
【従来の技術】
梁側面型枠を支持する端太材をセパレータや締付ボルト及び座金等を用いて緊結固定する在来工法では、部品点数が多くなり型枠の組立・解体も煩雑となるため、大引材に連結する傾倒防止金具で梁側面型枠を直接支持する梁型枠支持装置が開発されてきた。
【０００３】
従来の梁型枠支持装置では、図７に示すように、パイプサポート１０１で支持する大引材１０２に傾倒防止金具１４０を装着して梁側面型枠１６５を支持していた。従来の傾倒防止金具１４０を構成する水平材１４１は、大引材１０２の上面にスライド可能に嵌合するため断面を略コの字状に形成し、その一端部１４１ａを大引材１０２の下面以下まで垂下してその両面に大小の楔孔を穿設し、この楔孔に楔１５０を挿通して打ち込み、その摩擦力で傾倒防止金具１４０を大引材１０２に固定するものであった。又、傾倒防止金具１４０の垂直材１４２は梁側面型枠１６５に配設する横端太材１６６に当接してコンクリート打設時の側圧を支持するものであるが、梁側面型枠１６５及び横端太材１６６と一体に挙動する構成にはなっていなかった。
【０００４】
このような楔形式の傾倒防止金具１４０は梁型枠、大引材、支保工を適宜組み合わせて使用する構成であるが、同一形状の梁を多数構築する場合には、図８に示すように梁型枠と傾倒防止金具と大引材及び支保工をユニット化して専用の梁型枠支持装置を作製する場合もあった。図８の梁型枠支持装置は、移動可能な枠状支持体２０１に大引材２０２を連結し、この大引材２０２の両端部に傾倒防止金具２４０を装着して梁側面型枠２６５を保持する構成であった。
【０００５】
この傾倒防止金具２４０の水平材２４１は断面略コの字状に形成され、一端部２４１ａを大引材２０２の下面近くまで垂下し、その中央部に係止ピン２５１を挿通していた。この係止ピン２５１は大引材２０２の両側面に穿設する長孔２０２ａに沿って移動可能であり、傾倒防止金具２４０は大引材２０２の外側端部に取り付けられ大引材２０２内に収納される梁幅調節ボルト２５２により移動及び固定を行うものであった。又、傾倒防止金具２４０の垂直材２４２には挟持金具２０３が取り付けられ、その先端部に横端太材２６６を挟持して梁側面型枠２６５を保持していた。
【０００６】
【発明が解決しようとする課題】
しかし、楔の摩擦力で大引材に固定する従来の梁型枠支持装置は、施工時の振動等で楔に緩みが生ずることがあり、その状態で側圧が作用すると簡単に傾倒防止金具が移動してしまう恐れがあった。又、楔を大引材の下面に打ち込む構成上、傾倒防止金具の下方には支保工を配置できず、先行して組み立てた支保工が傾倒防止金具にぶつかる場合には支保工を組替える必要があった。又、垂直材は横端太材に当接するだけの構成であったため自重により梁側面型枠が内傾する可能性もあった。又、垂直材の高さは固定的であるため、支持し得る梁成の許容範囲は限定されており、設計変更等により梁成が高くなった場合には傾倒防止金具の使用が不能になる恐れもあった。
【０００７】
一方、型枠と支保工をユニット化した専用の梁型枠支持装置の場合には、梁型枠、傾倒防止金具、締結部材、大引材及び枠状支持体が相互に連結した一連の装置となるため、装置全体が大型になる欠点を有すると共に、転用の対象が限定されてしまい汎用性に欠けていた。又、設計変更が行われて階高や梁の形状に変化が生じた時には対応が困難になる場合もあった。
【０００８】
この発明は、上記課題を解決し、型枠と支保工をユニット化した専用の梁型枠支持装置よりも小型でしかも汎用性を備えた装置であって、施工時の振動等では傾倒防止金具の固定状態が解けずコンクリート打設時に梁型枠の変形が生じない、又大引材の下面に締結部材が突出せず支保工が自由に配置できる梁型枠支持装置を提供することを目的としている。又、設計変更等により梁幅や梁成に変化がある場合でも対応が可能で、しかも梁側面型枠が内傾する恐れのない梁型枠支持装置を提供することを目的としている。
【０００９】
【課題を解決するための手段】
上記課題を解決するため、この発明の梁型枠支持装置は、梁横断方向に配設される大引材と、この大引材の上面にスライド可能に載置する梁側面型枠の傾倒防止金具と、この傾倒防止金具を大引材の任意の位置で固定する締結部材を有する梁型枠支持装置において、前記大引材は２本の桁材側面にピン係止孔を複数穿設し連結部材を挟着して桁材間に空隙を設ける枠状の大引材であり、前記傾倒防止金具の水平材及び斜材は各々この空隙につながる開口部を備え、前記締結部材は、これら開口部を貫通して下端部をピンに軸支する連結ボルトと斜材上に設ける座金及びナットにより傾倒防止金具を固定する締結部材であることを特徴としている。
【００１０】
又請求項２、３記載の梁型枠支持装置は、座金が斜材に沿って移動可能な構造となっているか、あるいは座金が上面に曲面状凹部を形成しナットがこの凹部に当接する下部曲面を備えている。又請求項４記載の梁型枠支持装置は、前記傾倒防止金具の垂直材が上部に補助柱材を装着し得る離隔した２本の柱材であって、この柱材間には内端を横端太材に係止し頭部に装着する板体を柱材に押圧して傾倒防止金具と横端太材とを連結するＪ型ボルトを備えることを特徴とするものであり、請求項５記載の梁型枠支持装置は、前記大引材が既設壁体に止着する支持金具で一端部を支持することを特徴とするものである。
【００１１】
大引材に形成する空隙は連結ボルトの下端部を遊挿する間隔が必要で、ピン係止孔に挿通するピンに連結ボルトを軸支する。大引材に載置する傾倒防止金具の水平材は２本の桁材に跨る構成であるが、垂直材取付側に連結ボルトの軸体を挿通し得る空間を設ける。
【００１２】
下端部を大引材に係止する連結ボルトは斜材の開口部を挿通し座金及びナットを斜材に押圧して固定するので傾倒防止金具が連結ボルト締付時及び側圧作用時に安定的に大引材に載置するようピン挿入位置、座金位置、斜材角度を適宜定める。
【００１３】
この時座金を斜材に沿って移動可能な構成とすれば、ピンに対して締結距離が最短となる位置で締め付けることができ締結後に連結ボルトが回動して傾倒防止金具が横ずれするのを防止できる。又、螺合するナットの下部曲面が座金の凹部に密着する構成とすれば、連結ボルトと斜材が直交しない場合にも十分な締付が可能になる。
【００１４】
梁型枠支持装置をセットする場合には、梁幅に合わせて傾倒防止金具を大引材上に載置し、次いで傾倒防止金具の荷重作用時の安定性を考慮して垂直材直下もしくはやや梁側のピン係止孔にピンを挿入し、これに下端部を軸支する連結ボルトを斜材上に突出し座金及びナットで締結する。このように締付部材が斜材上面にあり大引材にはピンが挿通するだけなので大引材下面に突出する部材はない。このため傾倒防止金具の下方の任意の位置でも支保工を配置することができる。
【００１５】
又請求項４記載の梁型枠支持装置は、離隔した２本の柱材間に同一幅の補助柱材を装着して垂直材の高さを適宜延伸することができる。この補助柱材は垂直材と面一になるので同一幅の横端太材が使用可能となる。又、Ｊ型ボルトにより傾倒防止金具と横端太材が連結するため、梁側面型枠が垂直材から離れて内傾することはない。又請求項５記載の梁型枠支持装置は、壁付梁の後打ちの梁を構築する場合に用いることができる。
【００１６】
【発明の実施の形態】
次にこの発明の一実施例を添付図面に基づき詳細に説明する。図１は型枠を取り付けた状態の梁型枠支持装置の正面図、図２は同側面図である。梁型枠支持装置１は、梁２の横断方向に配設する大引材３０と、この大引材３０の上面にスライド可能に載置する傾倒防止金具４０と、この傾倒防止金具４０を大引材３０の任意の位置で固定する締結部材５０を有する。
【００１７】
支柱３に支持される大引材３０は、上面に設置する梁型枠６０及びコンクリート等の荷重を支持するため、適切な間隔で平行に配置する。梁型枠６０は根太６１を適数本配設する梁底型枠６２と、堰板６３及び桟木６４でパネル状に形成する梁側面型枠６５を有し、梁側面型枠６５は横端太材である角パイプ６６を締付ボルト６７ａ、座金６７ｂ及び木コン６７ｃを用いて２本づつ適数段取り付け、梁側面の通りを通す。
【００１８】
大引材３０は、２本の桁材３１，３１間に連結板３２を適数枚挟着して枠状に形成するが、全体の断面性能を確保するため例えば溝型断面部材を使用する。この桁材３１のウエブ３１ａには、傾倒防止金具４０の取付箇所に合わせてピン係止孔３３を適宜間隔あけて複数箇所穿設し、締結部材５０を構成する連結ボルト５１の下端部をＬ型のピン３４で軸支する。
【００１９】
傾倒防止金具４０は水平材４１、垂直材４２及び斜材４３から構成される。水平材４１は２本の桁材３１に跨って載置し、連結ボルト５１挿通用の空隙を設ける。このため水平材４１は２本の山形断面部材４１ａ，４１ａを連結板４１ｂでつなぐ構成をとる。又、垂直材４２及び斜材４３も各々２本の柱材４２ａ、２本の補強材４３ａを平行に離隔して取り付ける。柱材４２ａの上部には挿入する補助柱材を固定し得るようにボルト孔４２ｂを穿設する。又、柱材４２ａの空隙にＪ型ボルト４を挿入してその内端を角パイプ６６に係止し、板体４ａ及びナット４ｂを用いて傾倒防止金具４０と梁側面型枠６５とを連結する。これにより梁側面型枠６５が傾倒防止金具４０から離れて内傾することはなくなる。
【００２０】
締結部材５０は、連結ボルト５１と球面座金５２及び球面座付ナット５３からなり斜材４３上に球面座金５２を押圧固定するもので、その締結部の詳細を図３に示す。図３は締結部材の頭部拡大図である。球面座金５２はリップ溝形部材４３ａ上を移動し得るように底面に平坦部５２ａを設け、突設する上面には球面状の凹部５２ｂを形成する。一方球面座付ナット５３は下端部に凹部５２ｂに密着し得る径の球面５３ａを形成し、側部に回転用の翼５３ｂを突設する。なお、この実施形態では座金及びナットに球面を形成するが、連結ボルトの回動面と平行な円弧断面を含む曲面とするものでもよい。
【００２１】
下端部をピン３４に軸支する連結ボルト５１は球面座金５２を斜材４３に押圧して締結するが、斜材４３と連結ボルト５１が直交しない状態、即ち締結距離が最短ではない状態で締結すると連結ボルト５１が回動して傾倒防止金具４０が横ずれする恐れがあるので、球面座金５２を移動しながら徐々に締め付ける。なおその角度が厳密には９０度になっていない場合でも、螺合する球面座付ナット５３の球面５３ａは凹部５２ｂに密着しているので十分な締付が可能になり、摩擦力により球面座金５２の移動は抑制される。
【００２２】
このように傾倒防止金具４０は連結ボルト５１及びピン３４を介して大引材３０に連結することになるが、連結ボルト５１締付時に斜材４３には垂直分力及び水平分力が作用するので、締付時に傾倒防止金具４０が安定的に大引材３０に載置するよう締付荷重のモーメントの釣合を考慮しなければならない。又、側圧作用時に水平材４１が浮き上がらず各部材の応力が過大にならないよう、連結ボルト５１の引張力水平成分が有効に作用するようピン挿入位置、座金位置、斜材取付角度を適宜定める必要がある。
【００２３】
このためピン３４の挿入位置は、水平材４１と垂直材４２の交点を通る延長線上もしくはやや梁側のピン係止孔３３を選択するのが望ましい。又座金取付位置が片寄ると水平材の浮き上がりもしくは過大な部材応力が発生する恐れがあるので、斜材は４５度程度の傾斜角で取り付け連結ボルト５１が斜材４３の中央部付近に係止するような構成とすることが望ましい。
【００２４】
なお、傾倒防止金具の安定及び部材応力を十分に考慮すれば、この実施形態の座金、斜材取付角度に限定する必要はなく、座金を斜材上に固定する構成や６０度の傾斜角で斜材を取り付ける構造も可能である。
【００２５】
この梁型枠支持装置１をセットする場合には、支柱３及び大引材３０を適宜間隔で立設し、梁底型枠６２を敷設する。次に傾倒防止金具４０を大引材３０上に載置すると共に、梁側面型枠６５を梁底型枠６２上に梁幅に合わせてセットしながら横端太材の角パイプ６６をＪ型ボルト４で締結し、梁側面型枠６５と傾倒防止金具４０を接続する。垂直材４２の直下に最も近接するピン係止孔３３にピン３４を挿入しこの位置で連結ボルト５１の下端部を軸支する。連結ボルト５１の頭部を斜材４３上に突出し、前述した要領で球面座金５２を締結する。このように締付部材５０が斜材４３上面にあり大引材３０にはピン３４が挿通するだけなので大引材３０下面に部材が突出することはない。このため、傾倒防止金具４０の下方の任意の位置でも支柱３を配置することができる。
【００２６】
以上説明した梁型枠支持装置においては、Ｊ型ボルトの内端を角パイプに適する形状としているが横端太材に丸パイプを使用する場合には円弧状の端部のＪ型ボルトとする。
【００２７】
次に梁成の高い梁側面型枠を支持する傾倒防止金具を図４及び図５に基づき説明する。図４は補助柱材を装着して型枠を取り付けた状態の梁型枠支持装置の正面図、図５は同側面図である。支持する梁側面型枠６５の高さが垂直材４２よりかなり高い場合には上段に配設する横端太材を押さえる縦端太材がなくなる。このため、２本の柱材４２ａ間に同一幅の補助柱材４２ｃを挿入し、ボルト孔４２ｂを挿通するボルトナット４２ｄでこれを固定する。補助柱材４２ｃは垂直材４２と並列する構成なので内面を面一に揃えることができ、下方で押さえる角パイプ６６と同一幅の横端太材を使用できる。
【００２８】
このように補助柱材４２ｃを適宜選択して装着することで垂直材の高さを梁成に合わせて延伸することができるので急な設計変更等にも十分対応できる。従ってこの発明の梁型枠支持装置は、梁幅、梁成、階高等に変化があっても共通の大引材、傾倒防止金具、締結部材、Ｊ型ボルト等の使用が可能であり、支保工及び梁型枠が別体であるので装置が小型簡易になると共に、転用の対象も広範囲となる。
【００２９】
次に壁付梁の後打ち梁を構築する場合に使用する梁型枠支持装置を図６に基づき説明する。先行して構築する壁５の上部に跳ね出す壁付梁６は、壁際の梁底型枠６２及び梁側面型枠６５を支持するため、短めの大引材１３０と一列の傾倒防止金具４０及びこれに付随する各部材を用い、大引材１３０の壁際端部を支持金具７で、傾倒防止金具４０側を支柱３で各々支持する。支持金具７は壁に埋設するアンカー８で固定する。このように壁付梁を構築する場合にあっても大引材のみを変更するだけで、上述した傾倒防止金具や締結部材等をそのまま利用することができる。
【００３０】
【発明の効果】
以上説明したように、この発明の梁型枠支持装置は、大引材に軸支する連結ボルトを用い座金を斜材に押圧して傾倒防止金具を固定する構成としたので、支保工や梁型枠は適宜選択することができ、型枠と支保工をユニット化した専用の梁型枠支持装置よりも小型でしかも汎用性がある。
【００３１】
楔方式のように施工時の振動等で傾倒防止金具の固定状態が解ける恐れはなく、コンクリート打設時の梁型枠変形は生じない。又、締付部材が斜材上面にあり大引材にはピンが挿通するだけなので大引材下面に部材が突出せず、傾倒防止金具の下方の任意の位置でも支柱を配置することができる。
【００３２】
又請求項２記載の梁型枠支持装置は、座金を斜材に沿って移動可能とするので、ピン係止孔の位置を選択することにより任意の梁幅の位置における斜材と連結ボルトの直交性を確保でき傾倒防止金具の固定が確実となる。請求項３記載の梁型枠支持装置のように螺合するナットの下部曲面が座金の凹部に密着する構成とすれば、連結ボルトと斜材が直交しない場合にも十分な締付が可能になる。
【００３３】
又請求項４記載の梁型枠支持装置の垂直材は、上部に補助柱材を装着し得る離隔した２本の柱材とするので、垂直材の高さを適宜延伸することができ、設計変更等により梁成に変化がある場合でも対応が可能となる。しかも補助柱材は垂直材と面一になるので同一幅の横端太材が使用可能となる。又、離隔した柱材間にＪ型ボルトを挿通し傾倒防止金具と横端太材とを連結するので、梁側面型枠が垂直材から離れて内傾することはない。
【００３４】
又請求項５記載の梁型枠支持装置は、大引材の一端部を既設壁体に止着する支持金具で支持する構成にするので、大引材のみ適切なサイズのものに変更すれば共通の傾倒防止金具、締結部材、Ｊ型ボルト等を使用して壁付梁の後打ちの梁も構築することができる。
【図面の簡単な説明】
【図１】型枠を取り付けた状態の梁型枠支持装置の正面図である。
【図２】型枠を取り付けた状態の梁型枠支持装置の側面図である。
【図３】締結部材の頭部拡大図である。
【図４】補助柱材を装着する梁型枠支持装置の正面図である。
【図５】補助柱材を装着する梁型枠支持装置の側面図である。
【図６】壁付梁の型枠を取り付けた状態の梁型枠支持装置の正面図である。
【図７】従来の楔形式の傾倒防止金具を使用する梁型枠支持装置の正面図である。
【図８】従来のユニット化した梁型枠支持装置の正面図である。
【符号の説明】
１  梁型枠支持装置
２  梁
３  支柱
４  Ｊ型ボルト
３０  大引材
３１  桁材
３３  ピン係止孔
３４  ピン
４０  傾倒防止金具
４１  水平材
４２  垂直材
４２ａ  柱材
４３  斜材
５０  締結部材
５１  連結ボルト
５２  球面座金
５３  球面座付ナット
６０  梁型枠
６５  梁側面型枠
【図１】
0003712458.tif 000002
【図２】
0003712458.tif 000003
【図３】
0003712458.tif 000004
【図４】
0003712458.tif 000005
【図５】
0003712458.tif 000006
【図６】
0003712458.tif 000007
【図７】
0003712458.tif 000008
【図８】
0003712458.tif 000009